(57)【要約】【課題】チューブの溶剤汚れの発生を低減しながらチューブへ溶剤を塗布することができる溶剤塗布具を提供する。【解決手段】本発明の一態様は、溶剤を保持する筒状のウィック２０と、ウィック２０が装着されるアプリケータ２２と、を有し、筒状のチューブＴがアプリケータ２２を介してウィック２０の内周面３０の内側に挿入されることにより、溶剤をチューブＴの外周面Ｔｂに塗布する溶剤塗布具１０において、アプリケータ２２は、ウィック２０が装着される装着部４２と、チューブＴが挿入される貫通穴であって装着部４２に連通する挿入口４８を備え、挿入口４８における当該挿入口４８の中心軸方向の幅δは、０ｍｍ〜０．５ｍｍである。【選択図】  図２
2015174027.tif 000002
【特許請求の範囲】
【請求項１】
溶剤を保持する筒状の溶剤保持部材と、前記溶剤保持部材が装着されるアプリケータと、を有し、筒状のチューブが前記アプリケータを介して前記溶剤保持部材の内周面の内側に挿入されることにより、前記溶剤を前記チューブの外周面に塗布する溶剤塗布具において、
前記アプリケータは、前記溶剤保持部材が装着される装着部と、前記チューブが挿入される貫通穴であって前記装着部に連通する挿入口を備え、
前記挿入口における当該挿入口の中心軸方向の幅は、０ｍｍ〜０．５ｍｍであること、
を特徴とする溶剤塗布具。
【請求項２】
請求項１の溶剤塗布具において、
前記挿入口の内径をＩＤａとし、前記溶剤保持部材の内径をＩＤｗとするときに、
−０．１ｍｍ≦（ＩＤａ−ＩＤｗ）≦０．１ｍｍの条件を満たすこと、
を特徴とする溶剤塗布具。
【請求項３】
請求項１または２の溶剤塗布具において、
前記アプリケータは、前記チューブの挿入方向について前記挿入口に向かうに連れて内径が小さくなるように形成されるテーパ部を備えており、
前記テーパ部のテーパ角度は、９０°よりも大きく、かつ、１２０°以下であること、
を特徴とする溶剤塗布具。
【発明の詳細な説明】
【技術分野】
【０００１】
本発明は、筒状のチューブの外周面に溶剤を塗布するために使用される器具である溶剤塗布具に関する。
【背景技術】
【０００２】
特許文献１には、筒状のチューブの端部の外周面へ溶剤を塗布する溶媒塗布装置が開示されている。特許文献１に開示された溶媒塗布装置は、溶剤が貯えられた複数の溝が形成された上塗布爪のチューブ把持面と下塗布爪のチューブ把持面とがチューブの外周面を把持することにより、チューブの端部の外周面へ溶剤を塗布する。
【先行技術文献】
【特許文献】
【０００３】
【特許文献１】特開平３−２１３６７号公報
【発明の概要】
【発明が解決しようとする課題】
【０００４】
しかしながら、特許文献１に開示された溶媒塗布装置は、チューブの端部の外周面へ溶剤を塗布する工程が繰り返し行われると、チューブに塗布された溶剤がチューブ把持面などに接触したり、溶剤が飛散したりして、溶剤がチューブ把持面などに付着するおそれがある。すると、チューブの端部の外周面において溶剤を塗布すべき所定の領域以外の領域にも溶剤が付着する問題（以下、「チューブの溶剤汚れ」という。）が発生するおそれがある。そして、このようにチューブの溶剤汚れが発生すると、チューブの端部の外周面における溶剤の（チューブの中心軸方向の）塗布長が安定しなくなる。
【０００５】
そこで、本発明は上記した問題点を解決するためになされたものであり、チューブの溶剤汚れの発生を低減しながらチューブへ溶剤を塗布することができる溶剤塗布具を提供すること、を目的とする。
【課題を解決するための手段】
【０００６】
上記課題を解決するためになされた本発明の一態様は、溶剤を保持する筒状の溶剤保持部材と、前記溶剤保持部材が装着されるアプリケータと、を有し、筒状のチューブが前記アプリケータを介して前記溶剤保持部材の内周面の内側に挿入されることにより、前記溶剤を前記チューブの外周面に塗布する溶剤塗布具において、前記アプリケータは、前記溶剤保持部材が装着される装着部と、前記チューブが挿入される貫通穴であって前記装着部に連通する挿入口を備え、前記挿入口における当該挿入口の中心軸方向の幅は、０ｍｍ〜０．５ｍｍであること、を特徴とする。
【０００７】
この態様によれば、チューブの端部の外周面に溶剤が塗布された後にチューブがアプリケータの挿入口から引き抜かれるときに、チューブの端部の外周面に塗布された溶剤が挿入口に接触して付着し難くなる。そのため、新たなチューブに溶剤を塗布するときに、チューブの端部の外周面における溶剤を塗布すべき所定の領域以外の領域に溶剤が付着し難くなり、チューブの溶剤汚れの発生が低減される。したがって、チューブの端部の外周面における溶剤の塗布長は、目標範囲内に安定して収まる。
【０００８】
上記の態様においては、前記挿入口の内径をＩＤａとし、前記溶剤保持部材の内径をＩＤｗとするときに、−０．１ｍｍ≦（ＩＤａ−ＩＤｗ）≦０．１ｍｍの条件を満たすこと、が好ましい。
【０００９】
この態様によれば、アプリケータの挿入口と溶剤保持部材の内周面との間に、挿入口の径方向の内側に突出するような段差が生じない。そのため、チューブは、溶剤保持部材における当該溶剤保持部材の中心軸方向の端面に引っ掛からずに、滑らかに、溶剤保持部材の内周面の内側に挿入される。したがって、チューブの外周面への溶剤の塗布量が十分に確保され、チューブの端部の外周面における溶剤の塗布長は、より確実に、目標範囲内に安定して収まる。このようにして、チューブの溶剤保持部材への引っ掛かりによる作業ミスのリスクは、大幅に低減される。
【００１０】
また、溶剤保持部材からチューブの端部の外周面に対して、溶剤が液滴状に塗布される場合がある。しかし、このような場合であっても、チューブをアプリケータの挿入口から引き抜くときに、チューブの外周面に液滴状に塗布された溶剤は、アプリケータの挿入口によりチューブの端部の外周面から削ぎ落とされる。そのため、チューブの端部の外周面において、溶剤は均一に塗布される。
【００１１】
上記の態様においては、前記アプリケータは、前記チューブの挿入方向について前記挿入口に向かうに連れて内径が小さくなるように形成されるテーパ部を備えており、前記テーパ部のテーパ角度は、９０°よりも大きく、かつ、１２０°以下であること、が好ましい。
【００１２】
この態様によれば、チューブをアプリケータの挿入口から引き抜くときに、チューブはテーパ部に接触し難くなる。そのため、チューブをアプリケータの挿入口から引き抜くときに、テーパ部に付着している溶剤がチューブの外周面に付着し難くなる。したがって、チューブの溶剤汚れの発生が低減される。
【発明の効果】
【００１３】
本発明の溶剤塗布具によれば、チューブの溶剤汚れの発生を低減しながらチューブへ溶剤を塗布することができる。
【図面の簡単な説明】
【００１４】
【図１】本発明の溶剤塗布具を使用した溶剤塗布装置の概略構成を示す図である。
【図２】実施例１の溶剤塗布具とチューブの断面図である。
【図３】チューブをアプリケータの挿入口に挿入することを示す概略図である。
【図４】チューブをウィックの内周面の内側に挿入することを示す概略図である。
【図５】チューブをアプリケータの挿入口から抜き出すことを示す概略図である。
【図６】溶剤が塗布されたチューブを対象物に接着させることを示す概略図である。
【図７】溶剤が塗布されたチューブを対象物に接着させることを示す概略図である。
【図８】ウィックの内径とチューブの外径との関係についての評価結果を示す図である。
【図９】実施例２の溶剤塗布具とチューブの断面図である。
【図１０】塗布長平均とＮＧ発生率の評価結果を示す図である。
【図１１】従来の溶剤塗布具とチューブの断面図である。
【発明を実施するための形態】
【００１５】
＜溶剤塗布装置の構成＞
図１に示すように、本発明の溶剤塗布具１０を有する溶剤塗布装置１は、溶剤塗布具１０の他に、タンク１２と、溶剤供給路１４と、駆動部１６と、溶剤排出路１８などを有する。
【００１６】
溶剤塗布具１０は、チューブＴの端部Ｔａの外周面Ｔｂ（図２参照、以下「チューブＴの外周面Ｔｂ」という。）に溶剤を塗布するために使用される器具である。なお、チューブＴは、例えば、塩化ビニル製の略円筒形状の部材である。また、溶剤は、チューブＴを任意の対象物と接着させるための接着剤である。この溶剤は、例えば、ＴＨＦ（テトラヒドロフラン）またはシクロヘキサノンである。
【００１７】
図２に示すように、溶剤塗布具１０は、ウィック２０とアプリケータ２２を備えている。なお、ウィック２０は、本発明における「溶剤保持部材」の一例である。
【００１８】
ウィック２０は、略円筒形状に形成される樹脂製の多孔質体である。このウィック２０は、駆動部１６によりタンク１２から溶剤供給路１４を介して供給される溶剤を吸収して保持する。そして、チューブＴの端部Ｔａがウィック２０の内周面３０の（径方向の）内側に挿入されると、チューブＴの外周面Ｔｂがウィック２０の内周面３０に接触する。これにより、ウィック２０に保持されている溶剤は、チューブＴの外周面Ｔｂに塗布される。
【００１９】
また、ウィック２０は、ピン３２を備えている。ピン３２は、チューブＴの外周面Ｔｂに溶剤を塗布するときに、チューブＴの先端部Ｔｃを付き当てるための部位である。そして、ウィック２０の中心軸方向（図２の左右方向）のピン３２の位置を調整することにより、チューブＴの外周面Ｔｂにおいて溶剤が塗布されるチューブＴの中心軸方向の長さ（以下、「チューブＴにおける溶剤の塗布長α」という。）を制御することができる。なお、塗布長α（図５参照）の目標値は、例えば、９ｍｍ±１ｍｍである。
【００２０】
アプリケータ２２は、ウィック２０が装着される部材である。また、アプリケータ２２は、チューブＴの端部Ｔａをウィック２０の内周面３０の内側に挿入するときに、チューブＴを案内する。このアプリケータ２２は、溶剤供給口４０と、装着部４２と、溶剤排出口４４と、テーパ部４６と、挿入口４８と、端面５０などを備えている。
【００２１】
溶剤供給口４０は、駆動部１６によりタンク１２から溶剤供給路１４を介して供給される溶剤を、装着部４２に装着されるウィック２０に供給するための通路である。
【００２２】
装着部４２は、その内周面４２ａがウィック２０と同様に略円筒形状に形成されており、ウィック２０が装着される部分である。
【００２３】
溶剤排出口４４は、ウィック２０に供給された溶剤のうちウィック２０に染み込まなかった余分な溶剤を、溶剤排出路１８に排出するための通路である。
【００２４】
テーパ部４６は、アプリケータ２２の中心軸方向（図２の左右方向）について、挿入口４８に対して装着部４２とは反対側の位置に形成されている。このテーパ部４６は、その内径がチューブＴの挿入方向（図２の左右方向）について挿入口４８に向かうに連れて小さくなるように形成されており、図２に示す断面においてテーパ形状に形成されている。このような形状のテーパ部４６は、チューブＴを挿入口４８内に挿入するときに、チューブＴを案内する役割を果たす。
【００２５】
挿入口４８は、チューブＴが挿入される貫通穴であって、装着部４２に連通している。この挿入口４８は、アプリケータ２２の中心軸方向（図２の左右方向）について、テーパ部４６と装着部４２との間に形成されている。
【００２６】
以上のような構成の溶剤塗布具１０は、チューブＴがアプリケータ２２を介してウィック２０の内周面３０の内側に挿入されることにより、溶剤をチューブＴの外周面Ｔｂに塗布する。なお、溶剤塗布具１０の詳細については、さらに後述する。
【００２７】
タンク１２は、溶剤を貯留するための容器である。溶剤供給路１４は、溶剤をタンク１２から溶剤塗布具１０に供給するための通路である。
【００２８】
駆動部１６は、溶剤供給路１４上に設けられており、溶剤をタンク１２から溶剤供給路１４を介して溶剤塗布具１０に供給するための駆動機構である。この駆動部１６は、例えば、エアシリンダなどである。なお、駆動部１６としてエアシリンダが使用される場合には、当該エアシリンダは、例えば、２〜１２ストローク／ｍｉｎの速さで駆動する。
【００２９】
溶剤排出路１８は、溶剤塗布具１０から排出される溶剤を、再び、タンク１２内に戻すための通路である。
【００３０】
＜溶剤塗布装置の作用＞
次に、このような構成の溶剤塗布装置１を用いてチューブＴの外周面Ｔｂに溶剤を塗布し、その後、溶剤を塗布したチューブＴを任意の対象物に接着させる方法について説明する。
【００３１】
溶剤塗布装置１は、まず、チューブＴが溶剤塗布具１０内に挿入される前に、駆動部１６を駆動させて溶剤をタンク１２から溶剤供給路１４と溶剤塗布具１０と溶剤排出路１８を介して、タンク１２内へ循環させる。これにより、溶剤がウィック２０に浸潤する（染み込む）。なお、このように溶剤を循環させて溶剤をウィック２０に浸潤させるために要する時間は、例えば、３０分である。
【００３２】
次に、図３に示すように、チューブＴをアプリケータ２２の挿入口４８の（径方向の）内側へ挿入する。そして、図４に示すように、チューブＴの先端部Ｔｃがピン３２に突き当たるまで、チューブＴをウィック２０の内周面３０の内側に挿入する。すると、チューブＴの外周面Ｔｂがウィック２０の内周面３０に接触するので、ウィック２０に保持されている溶剤が、チューブＴの外周面Ｔｂに塗布される。
【００３３】
次に、図５に示すように、チューブＴをウィック２０とアプリケータ２２から抜き出す。
【００３４】
そして、図６と図７に示すように、溶剤が塗布されたチューブＴを任意の対象物６０に接着させる。このようにして、チューブＴと対象物６０とが接着した部材が作製される。なお、対象物６０は、例えば、塩化ビニル製の筒形状の部材である。この対象物６０は、例えば、Ｙ字管あるいはト字管、血液バッグ用チューブなどの塩化ビニル製のジョイントコネクタである。
【００３５】
そして、このような作業を繰り返すことにより、チューブＴと対象物６０とが接着した部材が量産される。
【００３６】
なお、所定時間（例えば、３０分〜６０分）毎に、アプリケータ２２のテーパ部４６に付着した溶剤を拭き取る。
【００３７】
＜溶剤塗布具の説明＞
〔実施例１〕
次に、溶剤塗布具１０について、さらに詳細に説明する。
【００３８】
まず、従来の溶剤塗布具１００について説明する。そこで、従来の溶剤塗布具１００を、図１１に示す。図１１に示すように、従来のアプリケータ１０２において、挿入口１２０の幅δ０は大きかった。例えば、挿入口１２０の幅δ０は、２．３ｍｍであった。
【００３９】
そうすると、チューブＴの外周面Ｔｂに溶剤が塗布された後にチューブＴがアプリケータ１０２の挿入口１２０から引き抜かれるときに、チューブＴの外周面Ｔｂに塗布された溶剤が挿入口１２０に接触し易いので、挿入口１２０に多くの溶剤が付着してしまった。そのため、新たなチューブＴをアプリケータ１０２の挿入口１２０内に挿入すると、既に挿入口１２０に付着していた溶剤が、チューブＴの外周面Ｔｂに付着してしまった。したがって、溶剤がチューブＴの外周面Ｔｂにおける溶剤を塗布すべき所定の領域以外の領域に付着してしまい、頻繁にチューブＴの溶剤汚れが発生していた。そして、このようなチューブＴの溶剤汚れは、１回目のチューブＴへの塗布作業で既にアプリケータ１０２の挿入口１２０に溶剤が付着してしまうことから、２回目以降のチューブＴへの塗布作業においては全て発生してしまった。例えば、目標の溶剤の塗布長αを９ｍｍ±１ｍｍとすると、実際の溶剤の塗布長αは約１４ｍｍになってしまい、溶剤の塗布長αを制御することが困難であった。
【００４０】
また、アプリケータ１０２の挿入口１２０に対しチューブＴを挿入したり引き抜いたりすると、溶剤が飛散してアプリケータ１０２のテーパ部１２２に付着してしまった。そのため、チューブＴの外周面Ｔｂに溶剤を塗布する作業を開始後、しばらく（例えば、６０分）経過してから、アプリケータ１０２のテーパ部１２２における溶剤汚れが広範囲で見られた。
【００４１】
このように、アプリケータ１０２の挿入口１２０やテーパ部１２２における溶剤の付着は、長時間のチューブＴへの塗布作業を行うことによりウィック１０４からの溶剤の液垂れが発生することが原因ではなく、チューブＴをアプリケータ１０２の挿入口１２０から引き抜く際の溶剤の飛散や接触によることが原因であった。
【００４２】
また、図１１に示すように、従来のアプリケータ１０２において、挿入口１２０の内径ＩＤａ０は、ウィック１０４の内周面１１０の内径ＩＤｗ０よりも大きかった。例えば、ウィック１０４の内径ＩＤｗ０が４．５ｍｍであるのに対し、アプリケータ１０２の挿入口１２０の内径ＩＤａ０は５．２ｍｍであった。そのため、アプリケータ１０２の挿入口１２０とウィック１０４の内周面１１０との間に、挿入口１２０の（径方向の）内側に突出するような段差が生じていた。したがって、チューブＴをウィック１０４の内周面１１０の（径方向の）内側に挿入させようとするときに、チューブＴはウィック１０４の端面１１２に当たり（引っ掛かり）、チューブＴがウィック１０４の内周面１１０の内側に挿入されないおそれがあった。これにより、チューブＴの外周面Ｔｂへの溶剤の塗布量が不足するおそれがあった。以上が、従来の溶剤塗布具１００についての説明である。
【００４３】
これに対し、本実施例の溶剤塗布具１０において、アプリケータ２２の挿入口４８の幅δは、従来のアプリケータ１０２の挿入口１２０の幅δ０よりも小さい。具体的には、幅δは、０ｍｍ〜０．５ｍｍの範囲内である。前記の図２に示す実施例においては、幅δは、０．５ｍｍとしている。なお、ここで、幅δは、挿入口４８における当該挿入口４８の中心軸方向の幅である。
【００４４】
そして、本実施例のように幅δを設定することにより、チューブＴの外周面Ｔｂに溶剤が塗布された後にチューブＴがアプリケータ２２の挿入口４８から引き抜かれるときに、チューブＴの外周面Ｔｂに塗布された溶剤が挿入口４８に接触して付着し難くなる。そのため、新たなチューブＴに溶剤を塗布するときに、チューブＴの外周面Ｔｂにおける溶剤を塗布すべき所定の領域（塗布長αで規定される領域）以外の領域に溶剤が付着し難くなり、チューブＴの溶剤汚れの発生が低減される。したがって、チューブＴの外周面Ｔｂにおける溶剤の塗布長αは、目標範囲内に安定して収まる。例えば、塗布長αは、９．０ｍｍ±１．０ｍｍの範囲内に収まる。なお、幅δは、０ｍｍ〜１．０ｍｍの範囲内であってもよく、この場合も溶剤の塗布長αが目標範囲内に収まる効果を得ることができるが、０ｍｍ〜０．５ｍｍの範囲内であれば、塗布長αが目標範囲内により安定して収まる。
【００４５】
また、本実施例において、アプリケータ２２の挿入口４８の内径ＩＤａとウィック２０の内径ＩＤｗとの関係は、以下の数式からなる条件を満たしている。
［数１］
−０．１ｍｍ≦（ＩＤａ−ＩＤｗ）≦０．１ｍｍ
【００４６】
すなわち、例えば、ウィック２０の内径ＩＤｗが４．５ｍｍであるとすると、挿入口４８の内径ＩＤａは４．４ｍｍ〜４．６ｍｍである。なお、図２に示す実施例においては、挿入口４８は、４．６ｍｍとしている。
【００４７】
これにより、アプリケータ２２の挿入口４８とウィック２０の内周面３０との間に、挿入口４８の（径方向の）内側に突出するような段差が生じ難くなる。そのため、チューブＴは、ウィック２０における当該ウィック２０の中心軸方向の端面３４に当たらずに（引っ掛からずに）、滑らかに、ウィック２０の内周面３０の内側に挿入される。したがって、チューブＴの外周面Ｔｂへの溶剤の塗布量が十分に確保され、チューブＴの外周面Ｔｂにおける溶剤の塗布長αは、より確実に、目標範囲内に安定して収まる。このようにして、チューブＴのウィック２０への引っ掛かりによる作業ミスのリスクは、大幅に低減される。
【００４８】
また、ウィック２０からチューブＴの外周面Ｔｂに対して、溶剤が液滴状に塗布される場合がある。しかし、このような場合であっても、チューブＴをアプリケータ２２の挿入口４８から引き抜くときに、チューブＴの外周面Ｔｂに液滴状に塗布された溶剤は、挿入口４８によりチューブＴの外周面Ｔｂから削ぎ落とされる。そのため、チューブＴの外周面Ｔｂにおいて、溶剤は均一に塗布される。さらに、溶剤がアプリケータ２２のテーパ部４６に付着することも低減できる。
【００４９】
なお、本実施例において、アプリケータ２２のテーパ部４６のテーパ角度θ１は、９０°である。ここで、テーパ角度θ１は、テーパ部４６により形成される仮想的な円錐体の頂点における内角である。つまり、テーパ角度θ１は、テーパ部４６と挿入口４８の中心軸とのなす角度の２倍の角度である。
【００５０】
また、ウィック２０の内径ＩＤｗとチューブＴの外径ＯＤｔとの差も、チューブＴの外周面Ｔｂへの溶剤の塗布性に影響を与える。すなわち、ウィック２０の内径ＩＤｗがチューブＴの外径ＯＤｔよりも非常に大きいときには、ウィック２０の内周面３０がチューブＴの外周面Ｔｂに接触し難くなる。そのため、チューブＴの外周面Ｔｂにおける溶剤の塗布量が不足したり、あるいは、ウィック２０から液滴状の溶剤が塗布されることによりチューブＴの外周面Ｔｂにおける溶剤の塗布量が過多になるおそれがある。一方、ウィック２０の内径ＩＤｗがチューブＴの外径ＯＤｔよりも非常に小さいときには、チューブＴがウィック２０の端面３４に当たり（引っ掛かり）、チューブＴの外周面Ｔｂにおける溶剤の塗布量が不足するおそれがある。
【００５１】
ここで、図８は、ウィック２０の内径ＩＤｗとチューブＴの外径ＯＤｔとの関係の評価結果を示す図である。図８に示す評価は、ウィック２０の内径ＩＤｗとチューブＴの外径ＯＤｔとを各々変更しながら、前記の図２に示すアプリケータ２２を使用した実施例１の溶剤塗布具１０を用いて、チューブＴの外周面Ｔｂに溶剤を塗布して行った。
【００５２】
図８に示すように、チューブＴの外周面Ｔｂにおける溶剤の塗布量が不足する状況は、（ＩＤｗ−ＯＤｔ）＝−０．１ｍｍ〜０．２ｍｍの条件において発生しなかった。また、チューブＴの外周面Ｔｂに液滴状の溶剤（水滴）が付着する状況は、（ＩＤｗ−ＯＤｔ）＝−０．１ｍｍ〜０．３ｍｍの条件において、発生しなかった。また、ウィック２０の端面３４にチューブＴが引っ掛かる状況は、（ＩＤｗ−ＯＤｔ）＝−０．１ｍｍ〜０．５ｍｍの条件において、発生しなかった。
【００５３】
以上のように本実施例の溶剤塗布具１０は、溶剤を保持する筒状のウィック２０と、ウィック２０が装着されるアプリケータ２２と、を有する。そして、溶剤塗布具１０は、筒状のチューブＴがアプリケータ２２を介してウィック２０の内周面３０の内側に挿入されることにより、溶剤をチューブＴの外周面Ｔｂに塗布する。そして、アプリケータ２２は、ウィック２０が装着される装着部４２と、チューブＴが挿入される貫通穴であって装着部４２に連通する挿入口４８を備え、挿入口４８における当該挿入口４８の中心軸方向の幅δは、０ｍｍ〜０．５ｍｍである。
【００５４】
また、溶剤塗布具１０は、アプリケータ２２の挿入口４８の内径をＩＤａとし、ウィック２０の内径をＩＤｗとするときに、−０．１ｍｍ≦（ＩＤａ−ＩＤｗ）≦０．１ｍｍの条件を満たす。
【００５５】
〔実施例２〕
次に、実施例２について説明するが、実施例１と同等の構成要素については、同一の符号を付して説明を省略し、異なった点を中心に述べる。
【００５６】
本実施例において、アプリケータ２２のテーパ部４６のテーパ角度θ２は、従来のアプリケータ１０２のテーパ部１２２のテーパ角度θ０よりも大きい。具体的には、テーパ角度θ２は、９０°よりも大きく、かつ、１２０°以下の範囲内である。図９に示す実施例においては、テーパ角度θ２は、１２０°としている。ここで、テーパ角度θ２は、テーパ部４６により形成される仮想的な円錐体の頂点における内角である。つまり、テーパ角度θ２は、テーパ部４６と挿入口４８の中心軸とのなす角度の２倍の角度である。
【００５７】
これにより、チューブＴをアプリケータ２２の挿入口４８から引き抜くときに、チューブＴはテーパ部４６に接触し難くなる。そのため、チューブＴをアプリケータ２２の挿入口４８から引き抜くときに、テーパ部４６に付着している溶剤がチューブＴの外周面Ｔｂに付着し難くなる。したがって、チューブＴの溶剤汚れの発生が低減される。
【００５８】
また、テーパ角度θ２は１２０°以下であるので、テーパ部４６は、チューブＴを挿入口４８内に挿入するときに、確実に、チューブＴを案内する役割を果たすことができる。
【００５９】
以上のように、本実施例の溶剤塗布具１０は、アプリケータ２２は、チューブＴの挿入方向について挿入口４８に向かうに連れて内径が小さくなるように形成されるテーパ部４６を備えている。そして、テーパ部４６のテーパ角度θ２は、９０°よりも大きく、かつ、１２０°以下である。
【００６０】
〔評価結果〕
図１０は、塗布長αの平均値とＮＧ発生率の評価結果を示す図である。ここで、ＮＧ発生率は、塗布長αが目標範囲内に収まらなかった発生率である。なお、塗布長αの目標範囲は、９．０ｍｍ±１．０ｍｍとした。そして、図１０に示す評価は、図１１に示すアプリケータ１０２を使用した従来の溶剤塗布具１００と、図２に示すアプリケータ２２を使用した実施例１の溶剤塗布具１０と、図９に示すアプリケータ２２を使用した実施例２の溶剤塗布具１０を用いて、チューブＴの外周面Ｔｂに溶剤を塗布して行った。
【００６１】
すると、図１０に示すように、塗布長αの平均値は、従来の溶剤塗布具１００（図１１参照）を使用した場合には約１２．８ｍｍであったのに対して、実施例１の溶剤塗布具１０（図２参照）や実施例２の溶剤塗布具１０（図９参照）を使用した場合には、約１０．０ｍｍとなった。また、ＮＧ発生率は、従来の溶剤塗布具１００を使用した場合には約８５％であったのに対して、実施例１の溶剤塗布具１０を使用した場合には約１５％、実施例２の溶剤塗布具１０を使用した場合には約３０％であった。
【００６２】
このように、実施例１の溶剤塗布具１０や実施例２の溶剤塗布具１０を使用することにより、塗布長αは目標値に安定し、かつ、ＮＧ発生率も従来の溶剤塗布具１００を使用する場合よりも大きく低減したことが分かった。
【００６３】
なお、上記した実施の形態は単なる例示にすぎず、本発明を何ら限定するものではなく、その要旨を逸脱しない範囲内で種々の改良、変形が可能であることはもちろんである。
【符号の説明】
【００６４】
１    溶剤塗布装置
１０  溶剤塗布具
１２  タンク
１４  溶剤供給路
１６  駆動部
１８  溶剤排出路
２０  ウィック
２２  アプリケータ
３０  （ウィックの）内周面
３２  ピン
３４  （ウィックの）端面
４０  溶剤供給口
４２  装着部
４４  溶剤排出口
４６  テーパ部
４８  挿入口
５０  （アプリケータの）端面
６０  対象物
Ｔ  チューブ
Ｔａ  端部
Ｔｂ  外周面
Ｔｃ  先端部
α  塗布長
δ  幅
θ１  （実施例１の）テーパ角度
θ２  （実施例２の）テーパ角度
ＩＤａ  （アプリケータの挿入口の）内径
ＩＤｗ  （ウィックの）内径
ＯＤｔ  （チューブの）外径
【図１】
2015174027.tif 000003
【図２】
2015174027.tif 000004
【図３】
2015174027.tif 000005
【図４】
2015174027.tif 000006
【図５】
2015174027.tif 000007
【図６】
2015174027.tif 000008
【図７】
2015174027.tif 000009
【図８】
2015174027.tif 000010
【図９】
2015174027.tif 000011
【図１０】
2015174027.tif 000012
【図１１】
2015174027.tif 000013